(57)【要約】【課題】  特にアクアリウム内の多くの部位を照明できると共に、取り外しが容易なアクアリウム用吸着式ファイバー装置を提供する。【解決手段】  内部に光源１２と第１磁性体１３が設けられる外部ボックス１１を有する発光装置１０と、内部に、複数の光ファイバ２２と、該第１磁性体１３と互いに吸着し合う第２磁性体２３とが設けられる収容ボックス２１を有する光伝送ファイバ装置２０とを備え、該収容ボックス２１の外側に光導入口２１４が形成されると共に、該光導入口２１４に光ファイバ２２の一端が集中的に固定され、光ファイバ２２の他端が収容ボックス２１から露出することを特徴とする。【選択図】  図１
0003165011.tif 000002
【実用新案登録請求の範囲】
【請求項１】
内部に光源と第１磁性体が設けられる外部ボックスを有する発光装置と、
内部に、複数の光ファイバと、該第１磁性体と互いに吸着し合う第２磁性体とが設けられる収容ボックスを有する光伝送ファイバ装置とを備え、
前記収容ボックスの外側に光導入口が形成されると共に、該光導入口に光ファイバの一端が集中的に固定され、光ファイバの他端が収容ボックスから露出することを特徴とするアクアリウム用吸着式ファイバ装置。
【請求項２】
前記外部ボックスは、前記光源を収容する本体と、該本体に取り付けられるカバーとを有し、その内、該本体の後側に、光源の電源コードを挿通するためのコード挿通孔が形成され、該カバーにおける光源と対応する部位に、光源から発射した光線を通すための開口が形成されることを特徴とする請求項１に記載のアクアリウム用吸着式ファイバー装置。
【請求項３】
前記本体の後側における光源と対応する部位に収容空間が形成され、該収容空間に、光源の後側に当接する放熱フィンが設けられることを特徴とする請求項２に記載のアクアリウム用吸着式ファイバー装置。
【請求項４】
前記第１磁性体は、光源の両側に位置するように前記外部ボックスの本体内に固定される２つの磁性プレートを有することを特徴とする請求項３に記載のアクアリウム用吸着式ファイバー装置。
【請求項５】
前記収容ボックスは、前側に前記光導入口が形成される本体と、該本体の後側における開口に取り付けられると共に、後側へ向かって縮径通路が形成されるカバーとを有することを特徴とする請求項１ないし３の何れか一項に記載のアクアリウム用吸着式ファイバー装置。
【請求項６】
更に前記光導入口に固定される位置決め柱体と、該位置決め柱体に挿設される集束パイプとを有し、該集束パイプに前記複数の光ファイバーの一端が挿設されることを特徴とする請求項５に記載のアクアリウム用吸着式ファイバー装置。
【請求項７】
前記光伝送ファイバー装置における収容ボックスの本体の前側底部に凹入部が凹設され、該本体が逆L字形を呈することを特徴とする請求項５に記載のアクアリウム用吸着式ファイバー装置。
【請求項８】
前記光伝送ファイバー装置における収容ボックスの本体の底部に少なくとも１つの係合溝が形成されると共に、該各係合溝にT字形係止柱を有する吸盤が設置され、該吸盤は、T字形係止柱を介して係合溝に係止されることを特徴とする請求項７に記載のアクアリウム用吸着式ファイバー装置。
【請求項９】
前記第２磁性体は、光導入口の両側に位置するように前記収容ボックスの本体内に設置される２つの磁性プレートを有することを特徴とする請求項８に記載のアクアリウム用吸着式ファイバー装置。
【考案の詳細な説明】
【技術分野】
【０００１】
本考案は、アクアリウム用発光式レイアウトアクセサリに関し、特にアクアリウム用吸着式ファイバー装置に関するものである。
【背景技術】
【０００２】
アクアリウムには様々なレイアウトアクセサリが用いられ、それらによれば、美しい景観をつくり上げることができるだけでなく、主に魚などの水生生物の休憩場所として利用することもできるが、従来のレイアウトアクセサリは発光しないので、夜間に水生生物などを観賞するために、アクアリウムに照明を取り付ける方法が採られていた。
【考案の概要】
【考案が解決しようとする課題】
【０００３】
しかしながら、従来の照明は、アクアリウムの上方に取り付けて下方へ向けて光線を照射するのが一般的であり、アクアリウムに更に多くの照明を取り付けることによって太陽光線のような全面的な照明効果を出すこともできるが、清掃時には照明を外すのに非常に手間がかかるという問題があった。
【０００４】
そこで、案出されたのが本考案であって、アクアリウム内の多くのエリアを照明することができると共に、取り外しが容易にできるアクアリウム用吸着式ファイバー装置を提供することを目的としている。
【課題を解決するための手段】
【０００５】
本考案は、上記の目的を達成するため、内部に光源と第１磁性体が設けられる外部ボックスを有する発光装置と、内部に、複数の光ファイバーと、該第１磁性体と互いに吸着し合う第２磁性体とが設けられる収容ボックスを有する光伝送ファイバー装置とを備え、該収容ボックスの外側に光導入口が形成されると共に、該光導入口に前記光ファイバーの一端が集中的に固定され、光ファイバーの他端が収容ボックスから露出することを特徴とするアクアリウム用吸着式ファイバー装置を提供するものである。
【０００６】
前記外部ボックスは更に、前記光源を収容する本体と、該本体に取り付けられるカバーとを有し、その内、該該本体の後側に、光源の電源コードを挿通するためのコード挿通孔が形成され、該カバーにおける光源と対応する部位に、光源から発射した光線が通すための開口が形成されると共に、本体の後側における光源と対応する部位に、光源の熱を放散するための収容空間が形成され、該収容空間に光源の後側に当接する放熱フィンが設けられる。
【０００７】
前記収容ボックスについては、前側に前記光導入口が形成される本体と、該本体の後側における開口に取り付けられると共に、後側へ向かって縮径通路が形成されるカバーとを有する構造を採用することができる。
【０００８】
また、光ファイバーを固定するために、前記光伝送ファイバー装置に更に光導入口に固定される位置決め柱体と、該位置決め柱体に挿設される集束パイプとが設けられ、該集束パイプに複数の光ファイバーの一端が挿設されて固定される。
【０００９】
前記光伝送ファイバー装置における収容ボックスの本体の前側底部に、凹入部が凹設され、該本体が逆L字形を呈することで、アクアリウムに設置する際の底砂への固着性が向上される。
【００１０】
また、前記光伝送ファイバー装置における収容ボックスの本体の底部に少なくとも１つの係合溝が形成されると共に、該各係合溝にT字形係止柱を介して係合溝に係合される吸盤が設置され、これにより、アクアリウムに設置する際の壁部への固着性が向上される。
【００１１】
尚、前記第１磁性体は、光源の両側に位置するように前記外部ボックスの本体内に固定される２つの磁性プレートを有する構造が好ましく、一方、前記第２磁性体は、光導入口の両側に位置するように前記収容ボックスの本体内に設置される２つの磁性プレートを有する構造が好ましい。
【考案の効果】
【００１２】
本考案は上記の課題を解決するものであり、使用時に、発光装置と光伝送ファイバー装置はそれぞれ、第１磁性体と第２磁性体との吸着作用を利用して、光源と光導入口とが対応するようにアクアリウムの内側と外側に設置され、光源が発光すると、その光線は複数の光ファイバーの端末に伝送されることから、使用者の好みに応じて光ファイバーの端末の設置位置を決めれば、美しい照明効果を演出することができ、また、発光装置と光伝送ファイバー装置とを互いに離間させるだけで容易にアクアリウムから取り外せるので、清掃作業もし易い。
【図面の簡単な説明】
【００１３】
【図１】本考案に係るアクアリウム用吸着式ファイバー装置の第１実施例を示す斜視図である。
【図２】本考案に係るアクアリウム用吸着式ファイバー装置の第１実施例を示す別角度の斜視図である。
【図３】本考案に係るアクアリウム用吸着式ファイバー装置の第１実施例を示す別角度の斜視図である。
【図４】本考案に係るアクアリウム用吸着式ファイバー装置の第１実施例における発光装置の分解斜視図である。
【図５】本考案に係るアクアリウム用吸着式ファイバー装置の第１実施例における光伝送ファイバー装置の分解斜視図である。
【図６】本考案に係るアクアリウム用吸着式ファイバー装置の第２実施例における光伝送ファイバー装置の分解斜視図である。
【図７】本考案に係るアクアリウム用吸着式ファイバー装置がアクアリウムに設置された状態を示す断面図である。
【図８】本考案に係るアクアリウム用吸着式ファイバー装置がアクアリウムに設置された状態を示す側面図である。
【図９】本考案に係るアクアリウム用吸着式ファイバー装置が別のアクアリウムに設置された状態を示す側面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１ないし図４及び図７に示すように、本考案に係るアクアリウム用吸着式ファイバー装置は、発光装置１０と光伝送ファイバー装置２０とを備え、その内、該発光装置１０は、内部に光源１２と第１磁性体１３が設けられる本体１１１と、該本体１１１に取り付けられるカバー１１２とを有する外部ボックス１１を有し、該カバー１１２に開口１１３が形成されると共に、該本体１１１の後側における、光源１２と対応する部位に収容空間１１４が形成され、該収容空間１１４に、光源１２の後側に当接する放熱フィン１４が設けられ、これにより、該光源１２の作動時に生じる熱を放散することで、該光源１２の安定した性能を維持する。また、前記本体１１１の横側に、光源１２の電源コードを挿通するためのコード挿通孔１１５が形成される。尚、本実施例における第１磁性体１３は、光源１２の両側に位置するように前記本体１１１内に固定される２つの磁性プレート１３１を有し、該磁性プレート１３１としては、鉄のプレートまたは磁石を用いるてもよい。
【００１６】
図１及び図５に示すように、光伝送ファイバー装置２０は、内部に複数の光ファイバー２２と第２磁性体２３とが設けられる本体２１１と、該本体２１１の後側における開口に取り付けられると共に、後側へ向かって縮径通路２１３が形成されるカバー２１２とを有する収容ボックス２１を有し、その内、該本体２１１の前側に光導入口２１４が形成されると共に、該光導入口２１４に位置決め柱体２５が挿嵌され、該位置決め柱体２５に集束パイプ２４が挿設される。前記複数の光ファイバー２２は、一端が前記集束パイプ２４に挿設して集中的に固定されると共に、他端がカバー２１２における縮径通路２１３から露出するように設置される。尚、本実施例における第２磁性体２３は、光導入口２１４の両側に位置するように前記本体２１１内に設置される２つの磁性プレート２４１を有し、該磁性プレート２４１としては、前記第１磁性体１３と互いに吸着される鉄のプレートや磁石を用いてもよい。
【００１７】
また、本体２１１は逆L字形を呈し、前記光伝送ファイバー装置２０における収容ボックス２１の本体２１１の前側底部に凹入部２１５が凹設される。
【００１８】
図８に示すように、本考案を使用する時は、発光装置１０と光伝送ファイバー装置２０をそれぞれ、第１磁性体１３と第２磁性体２３との吸着を利用して、光源１０と光導入口２１４とが対応するようにアクアリウム７０の内側と外側に設置し、光源１２が発光すると、その光線は複数の光ファイバー２２の端末に伝送される。また、光伝送ファイバー装置２０における収容ボックス２１の本体２１１はL字形を呈するので、アクアリウム７０内に設置する時にその底部を底砂に挿入することで、本体２１１の固着性が向上される。
【００１９】
図６に示すように、本考案の第２実施例においては、本体２１１の底部に更に少なくとも１つの係合溝２１６が形成されると共に、該各係合溝２１６にT字形係止柱２７１を有する吸盤２７が設置される。また、前記吸盤２７は、T字形係止柱２７１を介して係合溝２１６に係止され、その吸盤２７をアクアリウム７０内に吸着させることによって、光伝送ファイバー装置２０のアクアリウムへの固着性を更に向上させることができる。尚、本実施例においては、本体２１１に２つの吸盤２７が設置される構成である。
【００２０】
図９に示すように、光伝送ファイバー装置２０における光ファイバー２２は柔軟性に優れることから、アクアリウム７０における、使用者の取り付けたい位置に光ファイバー２２の端末を設置してアクアリウム７０を照明することにより、従来の固定式単一光源に比べてより広い範囲、即ちアクアリウム７０を全面的に照明することができるので、美しい照明効果を演出することができる。また、発光装置１０と光伝送ファイバー装置２０とは、互いに離間させれば、容易にアクアリウム７０から取り外せるので、清掃作業が非常にやり易い。
【符号の説明】
【００２１】
１０        発光装置
１１        外部ボックス
１１１      本体
１１２      カバー
１１３      開口
１１４      収容空間
１１５      コード挿通孔
１２        光源
１３        第１磁性体
１３１      磁性プレート
１４        放熱フィン
２０        光伝送ファイバー装置
２１        収容ボックス
２１１      本体
２１２      カバー
２１３      縮径通路
２１４      光導入口
２１５      凹入部
２１６      係合溝
２２        光ファイバー
２３        第２磁性体
２４        集束パイプ
２５        位置決め柱体
２７        吸盤
２７１      T字形係止部
３０        アクアリウム
３１        底砂
【図１】
0003165011.tif 000003
【図２】
0003165011.tif 000004
【図３】
0003165011.tif 000005
【図４】
0003165011.tif 000006
【図５】
0003165011.tif 000007
【図６】
0003165011.tif 000008
【図７】
0003165011.tif 000009
【図８】
0003165011.tif 000010
【図９】
0003165011.tif 000011